(57)【要約】【課題】薄型化が可能なＦＰＣ用電気コネクタを提供する。【解決手段】本考案のＦＰＣ用電気コネクタは、端子溝とＦＰＣを収容するためのＦＰＣ受入空洞とが設けられる絶縁ハウジングと、基部と該基部から前向きに延在する枢支ビームと前記枢支ビームに平行に前向きに延在する接触ビームと、を含む導電端子と、前記導電端子の枢支ビームに回転可能に係合することにより前記絶縁ハウジングに対して開放状態と閉鎖状態との間で回転可能とされ、ＦＰＣを導電端子の接触ビームに接続させるアクチュエータとを含み、前記導電端子の枢支ビームと接触ビームは、上下方向で弾性的な移動を生じることができることを特徴とする。【選択図】図３
0003125545.tif 000002
【実用新案登録請求の範囲】
【請求項１】
天板と、底板と、後壁とからなり、前記天板を貫通するように形成される上溝と、前記底板を貫通するように形成される下溝と、前記後壁に形成される後溝とを含む端子溝と、ＦＰＣを収容するためのＦＰＣ受入空洞と、が設けられる絶縁ハウジングと、
前記後溝内に収容される基部と、該基部から前向きに延在するように前記端子溝の上溝に収容される枢支ビームと、前記枢支ビームに平行に前向きに延在するように前記端子溝の下溝に収容される接触ビームと、を含む導電端子と、
前記導電端子の枢支ビームに回転可能に係合することにより前記絶縁ハウジングに対して開放状態と閉鎖状態との間で回転可能とされ、ＦＰＣを導電端子の接触ビームに接続させるアクチュエータと
を含むＦＰＣ用電気コネクタにおいて、
前記導電端子の枢支ビームと接触ビームは、上下方向で弾性的な移動を生じることができることを特徴とするＦＰＣ用電気コネクタ。
【請求項２】
前記接触ビームは、前記基部に連接し、上方へ向けて斜めに延在するように形成される根部を有すること特徴とする、請求項１に記載のＦＰＣ用電気コネクタ。
【請求項３】
前記枢支ビームと接触ビームは、上下方向での弾性的な移動の距離がほぼ同じであること特徴とする、請求項１に記載のＦＰＣ用電気コネクタ。
【請求項４】
前記ＦＰＣ用電気コネクタは、導電端子の回転を防止するための回転防止機構を有することを特徴とする、請求項１に記載のＦＰＣ用電気コネクタ。
【請求項５】
前記回転防止機構は、前記導電端子の基部の一側に形成される係合リブと、該係合リブに係合するための前記絶縁ハウジングに形成される係止溝とからなることを特徴とする、請求項４に記載のＦＰＣ用電気コネクタ。
【請求項６】
前記回転防止機構は、前記導電端子の基部の一側に形成される係止溝と、該係止溝に係合するための前記絶縁ハウジングに形成される係合リブとからなることを特徴とする、請求項４に記載のＦＰＣ用電気コネクタ。
【請求項７】
ＦＰＣを収容するためのＦＰＣ受入空洞を有する絶縁ハウジングと、
後方から前記絶縁ハウジングに装着され、基部と、該基部から前向きに延在するように形成される接触ビームと、該接触ビームに対向した枢支ビームと、を含む複数の導電端子と、
前記絶縁ハウジングに取付けられ、前記絶縁ハウジングに対して開放状態と閉鎖状態との間で回転可能とされ、ＦＰＣを導電端子に押圧させるアクチュエータと
を含むＦＰＣ用電気コネクタにおいて、
前記導電端子の枢支ビームの上側面が前記絶縁ハウジングの上表面を露出させることを特徴とするＦＰＣ用電気コネクタ。
【請求項８】
前記導電端子の枢支ビームは、アクチュエータに係合する枢支部を有すること特徴とする、請求項７に記載のＦＰＣ用電気コネクタ。
【請求項９】
前記絶縁ハウジングは、Ｔ字形状を呈する頭部を有する指部が設けられ、前記枢支ビームが前記頭部の後壁に当接していること特徴とする、請求項７に記載のＦＰＣ用電気コネクタ。
【請求項１０】
前記導電端子の接触ビームの下側面は、前記絶縁ハウジングの下表面を露出させること特徴とする、請求項９に記載のＦＰＣ用電気コネクタ。
【請求項１１】
ＦＰＣを収容するためのＦＰＣ受入空洞を有する絶縁ハウジングと、
後方から前記絶縁ハウジングに装着され、基部と、該基部から前向きに延在するように形成される接触ビームと、該接触ビームに対向した枢支ビームと、を含む複数の導電端子と、
前記絶縁ハウジングに取付けられ、前記絶縁ハウジングに対して開放状態と閉鎖状態との間で回転可能とされ、ＦＰＣを導電端子に押圧させるアクチュエータと
を含むＦＰＣ用電気コネクタにおいて、
前記導電端子の接触ビームの下側面が前記絶縁ハウジングの下表面を露出させることを特徴とするＦＰＣ用電気コネクタ。
【請求項１２】
前記絶縁ハウジングは、Ｔ字形状を呈する頭部を有する指部が設けられ、前記枢支ビームが前記頭部の後壁に当接していること特徴とする、請求項１１に記載のＦＰＣ用電気コネクタ。
【請求項１３】
前記導電端子の枢支ビームの上側面は、前記絶縁ハウジングの上表面を露出させること特徴とする、請求項１１に記載のＦＰＣ用電気コネクタ。
【考案の詳細な説明】
【技術分野】
【０００１】
本考案は、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術のＦＰＣ用電気コネクタとして、特許文献１と特許文献２に開示されたＦＰＣ用電気コネクタが知られ、このＦＰＣ用電気コネクタは、絶縁ハウジングと、該絶縁ハウジング内に収容される複数の導電端子と、絶縁ハウジングに対して開放状態と閉鎖状態との間で回転可能なアクチュエータと、を含む。前記絶縁ハウジングは相対した天板と底板とを含み、絶縁ハウジングの先端にＦＰＣを挿入するためのＦＰＣ受入空洞が形成され、後端に導電端子を対応して収容するための端子溝が形成される。前記端子溝は、前記ＦＰＣ受入空洞に連通して、天板に形成される上溝と、底板に形成される下溝とを含む。各導電端子は二股状となって前方に延出した上下一対の接触ビーム及び枢支ビームを含む。その特許文献１の従来のＦＰＣ用電気コネクタは、その枢支ビームが端子溝の上溝内に収容されることで、その上側が絶縁ハウジングの天板により覆われ、その下側がＦＰＣ受入空洞に露出される。接触ビームは端子溝の下溝内に収容され、その上側がＦＰＣ受入空洞に露出され、その下側が絶縁ハウジングの底板により覆われている。また、その特許文献２の従来のＦＰＣ用電気コネクタの特許文献１と異なることは、枢支ビームと接触ビームが絶縁ハウジングの天板と底板にそれぞれ露出されることである。
【特許文献１】米国特許第６７５５６８２号明細書
【特許文献２】米国特許第６４３１８９７号明細書
【考案の開示】
【考案が解決しようとする課題】
【０００３】
特許文献１に示すＦＰＣ用電気コネクタは、絶縁ハウジングの天板と底板が導電端子の枢支ビームと接触ビームをそれぞれ収容するための上溝と下溝とがそれぞれ形成され、かつ枢支ビームの上側と接触ビームの下側をそれぞれ覆うためには、天板や底板にある程度の厚みを確保せざるをえず薄型化の妨げになるという問題があった。
【０００４】
また、特許文献２に示すＦＰＣ用電気コネクタは、導電端子の枢支ビームと接触ビームが絶縁ハウジングの天板と底板に露出することで、薄型化の妨げになるという問題がないが、該ＦＰＣ用電気コネクタは、ＦＰＣの挿入方向に沿う寸法が長くなるので、小型化の妨げになるという問題があった。
【０００５】
そこで本考案は、上述の従来技術の問題を鑑み、薄型化が可能なＦＰＣ用電気コネクタを提供することを目的とする。
【課題を解決するための手段】
【０００６】
本考案のＦＰＣ用電気コネクタは、天板と、底板と、後壁とからなり、前記天板を貫通するように形成される上溝と、前記底板を貫通するように形成される下溝と、前記後壁に形成される後溝とを含む端子溝と、ＦＰＣを収容するためのＦＰＣ受入空洞と、が設けられる絶縁ハウジングと、
前記後溝内に収容される基部と、該基部から前向きに延在するように前記端子溝の上溝に収容される枢支ビームと、前記枢支ビームに平行に前向きに延在するように前記端子溝の下溝に収容される接触ビームと、を含む導電端子と、
前記導電端子の枢支ビームに回転可能に係合することにより前記絶縁ハウジングに対して開放状態と閉鎖状態との間で回転可能とされ、ＦＰＣを導電端子の接触ビームに接続させるアクチュエータと
を含むＦＰＣ用電気コネクタにおいて、
前記導電端子の枢支ビームと接触ビームは、上下方向で弾性的な移動を生じることができることを特徴とする。
【０００７】
また、本考案のＦＰＣ用電気コネクタは、ＦＰＣを収容するためのＦＰＣ受入空洞を有する絶縁ハウジングと、
後方から前記絶縁ハウジングに装着され、基部と、該基部から前向きに延在するように形成される接触ビームと、該接触ビームに対向した枢支ビームと、を含む複数の導電端子と、
前記絶縁ハウジングに取付けられ、前記絶縁ハウジングに対して開放状態と閉鎖状態との間で回転可能とされ、ＦＰＣを導電端子に押圧させるアクチュエータとを含むＦＰＣ用電気コネクタにおいて、
前記導電端子の枢支ビームの上側面が前記絶縁ハウジングの上表面を露出させることを特徴とする。
【０００８】
本考案のＦＰＣ用電気コネクタは、ＦＰＣを収容するためのＦＰＣ受入空洞を有する絶縁ハウジングと、
後方から前記絶縁ハウジングに装着され、基部と、該基部から前向きに延在するように形成される接触ビームと、該接触ビームに対向した枢支ビームと、を含む複数の導電端子と、
前記絶縁ハウジングに取付けられ、前記絶縁ハウジングに対して開放状態と閉鎖状態との間で回転可能とされ、ＦＰＣを導電端子に押圧させるアクチュエータとを含むＦＰＣ用電気コネクタにおいて、
前記導電端子の接触ビームの下側面が前記絶縁ハウジングの下表面を露出させることを特徴とする。
【考案の効果】
【０００９】
従来の技術に比較して、本考案は以下の効果を有する。導電端子の枢支ビームと接触ビームとが絶縁ハウジングの外側を露出することで、絶縁ハウジングの天板と底板との厚さが薄くなり、ＦＰＣ用電気コネクタの薄型化に有利になっている。
【考案を実施するための最良の形態】
【００１０】
以下、この考案の実施の形態を添付の図を参照して説明する。
【００１１】
第１の実施形態のＦＰＣ用電気コネクタは、図１〜図５を参照すると、絶縁ハウジング１と、複数の導電端子２と、絶縁ハウジング１に対して回転可能なアクチュエータ３と、支持部材４と、を含み、前記絶縁ハウジング１の前端側にＦＰＣ受入空洞１０が形成され、絶縁ハウジング１の底板１２がＦＰＣ受入空洞１０の底部として、ＦＰＣ受入空洞１０の上部は前記アクチュエータ３の回転により開閉できる。
【００１２】
絶縁ハウジング１には、複数の端子溝１３が形成され、各端子溝１３は、絶縁ハウジング１の天板１１を貫通するように形成される上溝１３１と、絶縁ハウジング１の底板１２を貫通するように形成される下溝１３２と、絶縁ハウジング１の後壁に形成され、上溝１３１及び下溝１３２を連通する後溝（参照記号なし）と、を含む。絶縁ハウジング１の天板１１に形成される上溝１３１同士の間はリブ（参照記号なし）により隔てられる。
【００１３】
前記導電端子２は、絶縁ハウジング１の後方から端子溝１３に並設され、基部２０と、該基部２０から前方へ向けて、互いに平行に延在するように形成される枢支ビーム２１及び接触ビーム２２と、基部２０から後向きに延在するように形成されるテール部２３と、を含む。接触ビーム２２は基部２０に連接する根部２２１を有し、半田操作が便利になるように、接触ビーム２２と回路基板（図示せず）の半田パットとの間が特定距離を持たなければならず、従って、前記根部２２１が上方へ向けて斜めに延出している。
【００１４】
前記枢支ビーム２１は上溝１３１に収容され、その下側面がＦＰＣ受入空洞１０に露出し、その上側面に絶縁ハウジング１の上表面が覆われず、絶縁ハウジング１の上表面即ち天板１１の上表面に露出され、従って、枢支ビーム２１が上下方向で弾性的に移動できる。前記接触ビーム２２は下溝１３２に収容され、その上側面がＦＰＣ受入空洞１０に露出し、その下側面に絶縁ハウジング１の下表面が覆われず、絶縁ハウジング１の下表面即ち底板１２の下表面に露出され、従って、接触ビーム２２が上下方向で弾性的に移動でき、且つ上下方向での弾性的な移動の距離がほぼ同じである。
【００１５】
導電端子２の枢支ビーム２１と接触ビーム２２が天板１１と底板１２をそれぞれ露出させることで、絶縁ハウジング１の天板１１と底板１２の厚さが薄くなり、ＦＰＣ用電気コネクタの高さが薄くなっている。しかしながら、導電端子２が絶縁ハウジング１に露出されるので、アクチュエータが閉鎖状態と開放状態との間で回転する際に、導電端子２が上下方向への回転を生じる恐れがあり、この問題を防止するために、導電端子２と絶縁ハウジング１との間に回転防止機構が配置される。図４に示す前記回転防止機構は、絶縁ハウジング１に形成され、前記端子溝１３に連通している係止溝１５と、導電端子２の基部２０に形成され、係止溝１５に係合している係合リブ２５とからなる。勿論、図５と図６に示す、導電端子２に係止溝が設けられてよく、絶縁ハウジング１に係合リブが設けられてよい。回転防止機構によって、導電端子２の上下方向への回転が防止できる。
【００１６】
また、前記各枢支ビーム２１同士の間に間隔があり、絶縁ハウジング１に間隔に対応して収容される指部１４が設けられる。該指部１４は天板１１から前向きに延在して形成され、Ｔ字形状を呈する頭部を有し、各頭部の内側に枢支ビーム２１の先端を収容するための隠れ溝１４０が形成される。
【００１７】
前記アクチュエータ３は、前記のように、ＦＰＣ受入空洞１０の上部を開閉できるようにした板状に成形され、複数のカム部３１が形成される。各カム部３１は前記枢支ビーム２１同士の間の間隔に収容される。前記各カム部３１の両側には枢支ビーム２１に回転可能に係合する枢支部３２がそれぞれ突出して形成され、各枢支部３２は、同一の水平面に位置している。互い隣接するカム部２１からそれぞれ突出する対向した枢支部３２は互いに連接せず、その間に絶縁ハウジング１の指部１４を収容するための間隔３３が隔てられる。
【００１８】
アクチュエータ３の両端部には、軸部３４がそれぞれ形成され、各軸部３４が絶縁ハウジング１に実装される支持部材４に支持されることにより、枢支ビーム２１が枢支部３２に回転可能に係合することを保障される。取付ける際に、先ず、枢支部３２が対応した枢支ビーム２１の下方に位置すると共に絶縁ハウジング１の指部１４の後壁に当接し、次に、支持部材４を絶縁ハウジング１に実装すると軸部３４を支持するのに用いられ、これにより枢支ビーム２１が枢支部３２に回転可能に係合している。
【００１９】
取付けた後に、前記指部１４とカム部３１は、枢支部３２同士の間に交互に並設され、枢支ビーム２１の先端が指部１４の隠れ溝１４０に収容される。アクチュエータ３が開放状態と閉鎖状態との間で回転可能とされ、アクチュエータ３が図３（ａ）に示す開放状態において、ＦＰＣが絶縁ハウジング１のＦＰＣ受入空洞１０内に挿入され、図３（ｂ）に示す閉鎖状態において、ＦＰＣを導電端子２に圧接させる。ＦＰＣの挿入過程とアクチュエータ３の回転過程において、接触ビーム２２と枢支ビーム２１が絶縁ハウジング１の天板１１と底板１２に覆われないことで、上下方向で弾性的な移動を生じることができる。
【００２０】
ＦＰＣ用電気コネクタの第２実施形態は、図６〜１０を参照すると、第１実施状態と類似し、導電端子２の上下表面が絶縁ハウジング１に覆われせず絶縁ハウジング１の外方に露出され、これによってＦＰＣ用電気コネクタの厚さが減少され、薄型化に有利である。しかし、第２実施状態が第１実施状態と異なることは、該ＦＰＣ用電気コネクタが互いに交互に並設される第１導電端子２と第２導電端子２’とを含み、その第１導電端子２に枢支ビーム２１の先端から屈曲して延在するように形成される枢支部２１０を有し、アクチュエータ３に隔壁３５により隔てられる間隔３６に位置する押圧部３７が設けられ、また、前記隔壁３５に枢支部２１０を収容するための枢支孔３５０が設けられることである。
【００２１】
図９〜図１２を参照して、第２実施状態のＦＰＣ用電気コネクタを取付ける際に、先ず図９のように、第１導電端子２が絶縁ハウジング１の後方から矢印Ａに沿って端子溝１３に装着される。次に、アクチュエータ３を絶縁ハウジング１に置いて、導電端子２の枢支部２１０を枢支孔３５０に対応させると、図１１に示す、アクチュエータ３を長手方向即ち矢印Ｂに沿って移動させ、さらに導電端子２の枢支部２１０がアクチュエータ３の枢支孔３５０に収容される。最後に、図１２に示す、第２導電端子２’が絶縁ハウジング１の後方から矢印Ａに沿って端子溝１３’に装着され、その枢支ビーム２１’が前記隔壁３５の一側に貼り付けられる。最後支持部材４が絶縁ハウジング１に実装され、アクチュエータ３の両端に形成される軸部３４を支持するのに用いられる。
【００２２】
前記構造によって、アクチュエータ３が長手方向で位置決めされるばかりでなく、開放状態と閉鎖状態との間で回転可能とされている。ＦＰＣが絶縁ハウジング１のＦＰＣ受入空洞に挿入された際に、アクチュエータ３が閉鎖状態まで回転し、アクチュエータ３の押圧部３７によりＦＰＣを導電端子２、２’に圧接する。勿論、第２実施状態のＦＰＣ用電気コネクタが第１実施状態に類似する回転防止機構を有する。
【００２３】
以上本考案についてよい実施の形態を参照して詳細に説明したが、実施形態はあくまでも例示的なものであり、これらに限定されるものではない。また前記の説明は、本考案に基づきなし得る細部の修正或は変更など、いずれも本考案の実用新案登録請求の範囲に属するものである。
【図面の簡単な説明】
【００２４】
【図１】アクチュエータが開放状態にあるときの、第１実施状態のＦＰＣ用電気コネクタの組合わせ斜視図である。
【図２】図１に示す第１実施状態のＦＰＣ用電気コネクタの分解斜視図である。
【図３】図１に示す第１実施状態のＦＰＣ用電気コネクタのＩＩＩ−ＩＩＩ線で切断した断面であり、（ａ）はアクチュエータが開放状態にあるときの断面図、（ｂ）はアクチュエータが閉鎖状態にあるときの断面図である。
【図４】図１に示す第１実施状態のＦＰＣ用電気コネクタの導電端子を絶縁ハウジングに装着された状態の部分の拡大図であり、第１種の回転防止装置を示した拡大図である。
【図５】図１に示す第１実施状態のＦＰＣ用電気コネクタの断面図であり、導電端子に沿って示した断面図である。
【図６】図１に示す第１実施状態のＦＰＣ用電気コネクタのアクチュエータと導電端子の斜視図であり、第２種の回転防止装置を示した斜視図である。
【図７】図１に示す第１実施状態のＦＰＣ用電気コネクタのアクチュエータと導電端子の斜視図であり、第３種の回転防止装置を示した斜視図である。
【図８】アクチュエータが閉鎖状態にあるときの、第２実施状態のＦＰＣ用電気コネクタの組合わせ斜視図である。
【図９】図８に示す第２実施状態のＦＰＣ用電気コネクタの断面図であり、第１導電端子が絶縁ハウジングに装着された断面図である。
【図１０】図８に示す第２実施状態のＦＰＣ用電気コネクタの断面図であり、アクチュエータが絶縁ハウジングに置いている断面図である。
【図１１】図８に示す第２実施状態のＦＰＣ用電気コネクタの断面図であり、アクチュエータが絶縁ハウジングに取付けた断面図である。
【図１２】図８に示す第２実施状態のＦＰＣ用電気コネクタの断面図であり、第２導電端子が絶縁ハウジングに装着された断面図である。
【符号の説明】
【００２５】
１  絶縁ハウジング
１０  ＦＰＣ受入空洞
１１  天板
１２  底板
１３、１３’端子溝
１３１  上溝
１３２  下溝
１４  指部
１４０  隠れ溝
１５  係止溝
２、２’  導電端子
２１、２１’枢支ビーム
２１０  枢支部
２２  接触ビーム
２２１  根部
２３  テール部
２５  係合リブ
３  アクチュエータ
３１  カム部
３２  枢支部
３３、３６  間隔
３４  軸部
３５  隔壁
３５０  枢支孔
３７  押圧部
４  支持部材
【図１】
0003125545.tif 000003
【図２】
0003125545.tif 000004
【図３】
0003125545.tif 000005
【図４】
0003125545.tif 000006
【図５】
0003125545.tif 000007
【図６】
0003125545.tif 000008
【図７】
0003125545.tif 000009
【図８】
0003125545.tif 000010
【図９】
0003125545.tif 000011
【図１０】
0003125545.tif 000012
【図１１】
0003125545.tif 000013
【図１２】
0003125545.tif 000014